(57)【要約】【課題】家庭に於ける生ごみ用水切り籠に確り装着されて使用中に外れないようになっており、着脱も容易かつ破れ難く、ごみ飛散なく、蓋を被せた時でも蓋へのごみの引っ掛かりがない、水切り籠に装着する水切り袋を提供する。【解決手段】プラスチックを溶融成型した単位網目形状が六角形の網袋であり、単位網目を構成する６本の糸の内の互いに隣の隣の隣となる２本の糸同士が互いに平行に向き合うものであり、かつ袋の開口側を上、封止された底側を下とした場合に、ともに縦向きの糸同士の一対を有する網袋に対し、袋開口部端近くの左右両端近くに袋の開口径を狭める接合を為した。【選択図】図１
2016175772.tif 000002
【特許請求の範囲】
【請求項１】
プラスチックを溶融成型した単位網目形状が六角形の網袋であり、単位網目を構成する６本の糸の内の互いに隣の隣の隣となる２本の糸同士が互いに平行に向き合うものであり、かつ袋の開口側を上、封止された底側を下とした場合に、ともに縦向きである糸同士の一対を有する網袋に対し、袋開口部端近くの左右両端近くに袋の開口径を狭める接合が為されたものであるところの、水切り籠に装着する水切り袋
【請求項２】
水切り籠が流し排水栓用水切り籠である請求項１記載の水切り袋
【請求項３】
袋の開口径を狭める接合の形が上下に長い長円形である請求項１乃至請求項２記載の水切り袋
【発明の詳細な説明】
【技術分野】
【０００１】  本発明は水切り籠に装着する家庭用水切り袋に関する。
【背景技術】
【０００２】  家庭用水切り袋とは、家庭における調理くずや茶殻、残飯或いは鍋を洗った汚水等を水切り袋に受けて排水中になるべくごみを流さないために用いるものであって、シンクと呼ばれる槽の内側に設置される。その設置方法によってシンクに直接置くもの、枠状物に装着するもの、シンクに置いた網籠に装着するもの、シンクの流し排水栓のトラップ部の上の籠に装着するものに大別される。【０００３】  これらの内で装着するものの類は、被装着物に確り装着されて使用中に外れないようになっている必要があり、着脱も容易である必要がある。特に、水切り袋には汚れた生ごみ等が入っているので、装着を外す時に力任せで外さなければならないようでは外すときに生ごみが飛び散ったりする問題が生じるので、外す時の容易さは大切である。さらにごみ入れ時や袋の脱着時に破れてごみ漏れが生じないことが必要である。【０００４】  しかしながら、従来のものにはこれらを満足するものはなかった。例えば特開平１−６４９０１号公報記載の技術では、リングを必要とし、装着時には反転等のややこしい手間を必要とするものだが、外す時は大きな問題を有する。すなわち、外すには装着時の逆の方向に反転させるか、同公報記載の通り袋の上部を破ったり、袋のくびれ部分の一部を一方向に引っ張る必要があり、ごみをひっくり返すか、引っ張る必要があるので、ごみを落としたり飛び散らかしたりすることになり、台所でこれを行うことは不衛生極まりなく、問題が大きい。又、水切り籠に使用できるものではない。【０００５】  これらの問題は、同様技術を応用した特開２００８−１２０５７３号公報記載技術のように袋支持枠と袋開口部の内外周長さ比を設定して改善しても、解決できるものではない。【０００６】  又、実開平３−４１０１号公報記載の技術は水切り籠に装着できる技術だが、前述公報記載技術同様に袋を反転させるか、強制的にリング部材を外すしかなく、ごみをひっくり返すか強制的に力任せで行うことになるので、ごみを落としたり飛び散らかしたりすることになり、台所でこれを行うことは不衛生極まりなく、問題が大きい。尚、この技術のものは、排水栓用水切り籠の上に重ねて設置できるものだが、さらに菊割蓋等の蓋を載せた場合には、上に重なることになるので蓋の縁は周囲から浮くことになり、浮いた段差にシンクから流れるごみが引っ掛かるという問題が生じる。【０００７】  又、特開平９−２２６９０３号公報記載の技術は、袋の支持枠同様に支持バーに装着するもので、支持バーに引っ掛けるとともに袋挟みで留めるというものであるが、これら支持バーや袋挟みを具備したホルダーが必要であるとともに、装着、脱着には２か所ある袋挟みの操作が必要であり、面倒である。【０００８】  尚、意匠登録第１１９０２５８号等の口部がゴムを挿入されている或いはゴム編みされている水切り袋がある。これらのものは、口部が伸び縮みして装着、取り外しが容易であるが、ゴムの伸縮を利用するため、外す時はゴムが急に縮んで袋地を弾くので袋の濡れた汚水やごみが飛び散り易いという問題がある。さらに、ゴムは伸ばして初めて押さえる力が生じるので、ゴムの締め付ける力を適当にするためには袋胴回り寸法を小さくする必要が生じ、ごみ入れ���に袋内径が小さくなってごみが入れ難いという問題が生じる。又、これらはどれも袋地の各糸径が細く、水切り籠への装着時や取り外し時に糸が切れて穴が広がってごみが飛び出すということがあり、大きな問題と言える。【０００９】  以上の通り、直接あるいは間接に参考となりうる水切り籠に装着するタイプの水切り袋に関しての適当な先行技術は見つからなかった。
【先行技術文献】
【特許文献】
【００１０】
【特許文献１】特開平１−６４９０１号公報
【特許文献２】特開２００８−１２０５７３号公報
【特許文献３】実開平３−４１０１号公報
【特許文献４】特開平９−２２６９０３号公報
【特許文献５】登録意匠第１１９０２５８号公報
【００１１】
【発明の概要】
【発明が解決しようとする課題】
【００１２】  解決しようとする課題は、被装着物に確り装着されて使用中に外れないようになっており、着脱も容易であって破れ難くごみが飛び散ったりすることのない水切り籠に装着する水切り袋がない点である。【００１３】  また、被装着物に確り装着されて使用中に外れないようになっており、着脱も容易であって破れ難くごみが飛び散ったりすることのない流し排水栓用水切り籠に装着する水切り袋がない点である。
【課題を解決するための手段】
【００１４】プラスチックを溶融成型した単位網目形状が六角形の網袋であり、単位網目が構成する６本の糸の内の互いに隣の隣の隣となる２本の糸同士が互いに平行に向き合うものであり、かつ袋の開口側を上、封止された底側を下とした場合に、ともに縦向きの糸同士の一対を有するものであるところの網袋に対し、袋開口部端近くの左右両端近くに袋の開口径を狭める接合が為されたことである。
【発明の効果】
【００１５】  本発明は上記構成のため、下記に示す多大な効果を生じる。【００１６】  水切り袋を水切り籠に装着する時には、袋を水切り籠の内側に押し入れた後、水切り袋の開口部側を水切り籠の鍔部に引っ掛けるように鍔内側上部縁から鍔縁を跨いで鍔下側に回しこむが、その時には網目を横に広げるように水切り籠の鍔外縁に水切り袋を当てる。そのことで、鍔縁の弧を描いている箇所に於いては鍔縁の孤状部が水切り袋の網目の穴に食い込む形となる。そして六角形の網目の肉質部の斜めであった糸部の袋開口部側は鍔縁の鍔下側となる部分で横に直線化して引っ掛かって、ゴミを袋に入れる時等での袋が内側に引っ張られる時の抵抗となり、また、鍔縁近傍の鍔上側となる部分も装着前に斜めだった網糸が横に直線状に広がって、同じく袋が内側に引っ張られる時の抵抗が斜めだった時より大となるので、ごみ入れ時や、ごみで重くなった時等の水切り袋の水切り籠の鍔からの外れ易さが低減される。【００１７】  又、袋を反転することなく水切り籠の鍔部に当たる部分のみ袋幅を広げて水切り籠に装着できるものとなるので、装着作業は単純かつ容易であり、間違えることがない。
尚、水切り籠の鍔部とは、水切り籠の開口部の縁に籠胴部より外側に迫り出している部分であり、籠縁の内側への倒れや、流し排水栓に装着して使用するものの場合の流し排水栓への落ち込みを止めるものであり、鍔幅の大小は問わない。【００１８】  ところで、水切り籠の鍔部のない部分である胴部は外周寸法が鍔外周寸法より鍔分だけ小さくなるので、袋の網目を本発明の形状にしても、従来の水切り袋の如くに袋の開口径が均一すなわち寸胴状であるならば、水切り籠に装着した水切り袋の開口先端側は鍔縁に合わせて伸ばされた状態のままとなって水切り籠の鍔下面や胴部外周面から乖離するので、その乖離部分の水切り袋の網目の穴と肉質の両方共に袋が内側に引っ張られる時の抵抗になり得えず、その結果として水切り籠の鍔が網目の肉質部の縦向きの糸部分にのみ強く当たることになって網糸が切れ易くなるという問題が生じる。【００１９】  それに対し、本発明の如くに水切り袋の開口部端近くの左右両端近くで開口径を狭める接合が為されるならば、袋を水切り籠の鍔に掛けた後に接合部に集中して袋径を狭めようとする働きが為されるので、水切り袋の網目が水切り籠の鍔下や胴部外周面に密着して袋が内側に引っ張られる時の抵抗になり、ごみ入れ時や、ごみで重くなった時等の水切り袋の水切り籠の鍔からの外れ易さがより低減され、かつ網糸が切れ易いという問題が解消される。尚、袋の開口径を狭める接合は、袋開口部端近くの左右の片側だけでも上記作用を為すが、片側だけでは水切り籠に装着し難くなることや、接合が為されない側では外れ易いことから左右両側に接合が為される方が良い。又、左右バランスが偏ると左右の一方から外れ易いという問題が生じ易いので左右対照の接合が為される方が良い。【００２０】  さらに、網目が六角形で単位網目が構成する６本の糸の内の互いに隣の隣の隣となる２本の糸同士が互いに向き合い、かつ袋の開口側を上、封止された底側を下にした場合にともに縦方向に配された縦向きの一対の糸同士を有するものとすることで、その２本の糸に繋がる斜めの糸のみが袋幅を広げようとするときに横向きに倒れるようになって、袋胴幅を広げるのに掛ける力が少なくてすみ、掛かる力が少なくてすむことで網目の糸に無理が掛からず、その結果、装着する時に袋を破ることがない。【００２１】  又、このように容易に袋幅が広がるので、接合部に掛かる力が小さくなり、接合部剥離や接合部際の糸切れが生じにくくなる。このように、接合部を設ける為に網糸が容易に広がる為の方策であるところの本発明の構成は効果が大きく、本発明の重要な骨子と言える。【００２２】  又、ごみの詰まった水切り袋を水切り籠から取り外す時には、袋を反転したり強く引っ張りしたりしなくてよく、かつ前述の通り網目の糸が切れ易いという問題や網目の糸に無理が掛かるという問題から生じる袋の破損がないので、ごみをこぼしたり周囲を汚染させたりすることがなく作業ができることになり、清潔を保てる。【００２３】  次に、上記水切り袋を流し排水栓本体の水切り籠に装着する場合の効果について述べる。そもそも流し排水栓本体の水切り籠の鍔を受ける部位の内壁底径は、本来水切り袋を装着するための設計になっていないために、水切り籠鍔外径より１ミリメートル程しか大きくなく、装着して問題ない水切り袋は限られる。つまり、袋がその部位に納まらないと、結果として籠が浮き、その上に乗せる菊割蓋等の蓋類が浮いて、蓋周囲にごみが引っかかって流れないという問題が生じる。よって、水切り籠に装着した時の鍔部まわり径が前記流し排水栓本体の水切り籠の鍔を受ける部位の内壁底径以内となる水切り袋に限られることになる。【００２４】  そのための対策としては、袋を薄くすることが思い浮かぶ。その場合、袋素材を薄肉にするのが一般的である。しかし、袋素材を薄肉にする場合は袋強度が落ち、穴が開いている水切り袋はさらに強度が落ちることになる。穴でない肉質部に対してのみ力が掛かるからである。よって、袋素材を薄肉にすることは適当でない。【００２５】  ところで、流し排水栓本体の水切り籠の鍔を受ける部位の内壁底径と流し排水栓の水切り籠鍔縁との隙間は前述のとおり１ミリメートル程度と限られる．本発明の構成は穴があることで穴に水切り籠の鍔が食い込むのであるが、そのことで見掛の袋外周径が小さくなり、鍔を受ける部位に水切り籠を被せた水切り籠が納まりやすくなるのだが、本発明の水切り袋は網素材であるがために、他の素材に比べて穴面積割合が高くなって、より水切り籠が納まりやすくなる。本発明はさらに、六角形の網目形状であって縦向きの糸と隣り合う斜めの糸との特別な構成であるがために、斜めの糸が容易に横に広がりやすく、網穴形状が長方形状に近くなって、より穴を有効に利用することになって、後述の様々な効果を生じることになる。【００２６】  尚、流し排水栓本体の水切り籠の鍔を受ける部位の内壁底径と流し排水栓の水切り籠鍔縁との限られた隙間に入りうる網糸が占める幅は限られる。であるならば、網糸一本の鍔縁への当接幅が小さくなり、かつ鍔縁に掛かる網糸数が少なくなれば網糸一本あたりの断面積は大きくすることが可能であると言える。そして、網糸一本の断面積が大きくできるならば網糸は丈夫になるので、袋の脱着時等にて力が掛かっても糸切れがなく、袋の破れはなくなる。そうなれば、袋の破れによって周囲にごみを飛散させるという問題は生じないことになる。【００２７】  本発明の水切り袋は、網穴を横に広げて鍔縁に掛ける。そのことで、鍔縁に掛かる網糸数は減ることになる。且つ網糸は縦向きの糸だけが鍔縁に直行して当接することになって、網糸一本の鍔縁に当接する幅は網糸が斜めや横を向いて鍔縁に掛かるよりも小さくなり、最小となる。【００２８】  本発明は、前述の通り鍔縁に当接する糸数が減らせ、且つ網糸一本の鍔縁に当接する幅が最小となる。よって、一本当たり肉質部断面積が大きくなっても、水切り袋を装着した水切り籠を排水栓本体の水切り籠鍔部受部位内壁との隙間に上手く納まらせることになって、菊割蓋等を浮かすことなく鍔部に装着できる。【００２９】  結果として、蓋周囲に段差が生じてのシンクに流れるごみが引っ掛るという問題を無くすという多大な効果がある。【００３０】  尚、一本当たり肉質部断面積が大きくなることは、糸の断面形が円形ならば太くなり、排水栓本体水切り籠鍔部受部位内壁との隙間に納まり難くなるという逆効果を生じることを意味するので、その対策は必要であり、網糸���押し潰されて扁平化されるのが望まれる。【００３１】  そこで、袋素材をプラスチックにするならば押し潰され易いので、肉質部断面形状を扁平にでき、そのことで肉質部厚みを小さくでき、結果として丈夫な袋を得られやすい。
尚、プラスチックの材質は剛直であっては押し潰され難いだけでなく、水切り籠の鍔の周囲で膨らむことになり、排水栓に装着した水切り籠を浮かすことになり、その結果水切り籠の上に載せた蓋を浮かすことになり、蓋の縁を周囲より浮かすことになり、シンクに流れるごみを段差に引っ掛けるということになる。水切り袋はシンク面にごみを溜めずに清潔に保つためのものであるのに、不都合な結果になってしまう。【００３２】  袋素材のプラスチックの材質は、基本的には柔軟性があればどれでもよく、ポリオレフィン系、ポリアミド系、ポリエステル系等プラスチックが考えられるが、プラスチックが脆弱ならば蓋を載せたとき等にプラスチックである網糸が折れて切れるということがあり、好ましくない。特に、プラスチックは低温脆性が生じるものが多いので冬場での使用を考えた場合はどれでもよいというわけにはいかない。プラスチック素材の中で、特にポリプロピレンのプロピレンの割合が高い、いわゆるホモタイプは寒冷下においては剛直であり、袋を装着した水切り籠を排水栓にセットしようとする時に籠や蓋を浮かせ、浮きを抑えるために無理に曲げようとすると網糸が折れることがあるので適当でない。家庭での冬場の使用も考えると低温下でも固くなり難く、柔軟性を維持し、安価でもあるポリエチレン系のものが最も良い。尚、斜めの糸が容易に横に倒れるということは、今まで述べた通り、各効果を生じる為に重要であるので、柔軟性があることは本発明の実施において求められることである。【００３３】  尚、穴に鍔を食い込ませる水切り袋には、フィルムに穴を開けたものも考えられるが、その場合の問題点を述べたい。フィルムの場合、角穴は穴角で切れ易かったり、伸び易かったりして使いにくいのだが、円穴は、穴が横に広がり難く、横に広げると穴周囲で弛みを生じるので、前述の排水栓本体水切り籠鍔部受部位内壁との隙間に入れ難く、結果として蓋を浮かせて問題を生じる危険性がある。そもそもフィルムに穴を開けたものは、フィルム厚を薄くすると切れやすく、厚くすると隙間に入り難くなると言える。【００３４】  次に、接合の形状と効果に関して述べる。水切り袋は鍔に掛けて使用するのだが、その為に指を袋内側に掛けて外側に開く。本発明の袋は袋開口部端近くの左右両端近くに袋の開口径を狭める接合が為されたものであるので、接合部の袋径内側に指が掛かることになり、その際に接合を剥離させようとする力が接合部位の袋径内側に対して外側に向いて掛かる。そのことで、接合部位の指の当たった際では接合の剥離或いは網糸の切断が起こりやすくなる。それに対しては接合部を縦に長くして指からの力を広い幅で受ける方が良いと言える。【００３５】  しかし、接合部の縦方向長さは袋丈に対する利用割合や使い勝手、接合強度を考えるとほどほどの長さにせざるをえなくなり、又、当然接合部の内側下端に指を掛けて上に引くこともあるので、下内角に指からの剥離力が掛かることになり、その部位に対する対策も求められる。その場合、接合部位内下角も力の掛かる方向に対して広い際線で対応した方がよく、接合部位形状は角落しする方が良い。【００３６】  但し、単純な角落しならば、鈍角とはいえ新たな角が生じるので、その角部は弱く��る。又、角部は接合が熱融着によって為されるならばエッジ切れを生じやすくなる。そのことから接合部位縁は角部のない弧状になる方が好ましい。【００３７】  尚、接合部位の袋径外側からや開口側から力が掛かることはないので、接合部位の内下以外が角形状であっても剥離力に対しては関係ないが、熱融着の場合に角があることはエッジ切れを起こしやすいことになるので、これらの箇所も角の無い弧状とする方が良い。【００３８】  以上の事からは指に接する部位が弧状であればよいので、接合部位形状は幅の狭い弓状であってもよいようであるが、幅が狭い場合には際で接合加工の型でエッジ切れを起こしたり、また接合加工の型の倒れが生じたりしやすく、適当でない。【００３９】  幅の広いこと、型の倒れの無いこと、角の無いことを考慮すると、接合部位形状は円形状が良いと思われる。そして真円状でもよいように思えるが、袋を鍔に掛けるために指で広げる行為による剥離力に抗することがメインであり、シール内下に指を掛けて引っ張るというサブ的な要素を加味するならば、同一面積の接合面は皆同じ接着力を有するという前提において、接合部位の際は指のあたり面が幅広く且つ強くかかる箇所である袋径内側の長さを長くした方がよく、すなわち真円より縦に長い長円が最も好ましいことになる。
【図面の簡単な説明】
【００４０】
【図１】本発明の一実施形態を示す水切り袋の斜視図
【図２】同水切り袋の単位網目を示す部分拡大図
【図３】図２に示す単位網目複数個分の網目を示す部分拡大図
【図４】代表的な形状である排水栓設置タイプの水切り籠の一例を示す斜視図
【図５】代表的な形状であるシンク面上設置タイプの水切り籠の一例を示す斜視図
【図６】本発明の水切り袋を図４の水切り籠に装着した状態を示す略断面図
【図７】本発明の水切り袋の水切り籠への装着時の水切り籠の鍔に食い込んだ水切り袋の網目と鍔の状態を示す部分断面拡大図
【図８】本発明水切り袋の水切り籠への装着時に広げられた網目を示す部分拡大図
【図９】図８における状態での鍔端と縦向きの糸との関係を表す部分断面拡大図
【図１０】袋の開口径を狭める接合が為されていない水切り袋
【図１１】図１０に示す水切り袋を水切り籠に装着した状態の断面図
【図１２】シンクと排水栓の位置関係を示す斜視図
【図１３】排水栓の構造を表す断面図
【図１４】排水栓の所定位置に装着された水切り籠と排水栓との関係を示す断面図
【図１５】排水栓の所定位置に装着され切れなかった水切り袋装着の水切り籠と上に載せて盛り上がった蓋と排水栓との関係を示す断面図
【図１６】接合部位形状が弓状である水切り袋の例
【発明を実施するための形態】
【００４１】  以下、本発明の実施の形態を図１〜図１５に基づいて説明する。
【実施例１】
【００４２】  図１は本発明に係る水切り袋の一実施形態を示す図であり、網目は省略して描いてある。袋の材質はポリエチレンであり、熱溶融して網目を為すように筒状に押し出して成型したものを、筒の一方をシールして袋化したものである。袋は下方を熱シールして底とした長方形の平袋であり、袋の開口端近くで袋の開口径を狭めるように長円形に熱シールしてある。平たくしたときの横幅は１７０ミリメートル、丈は２５０ミリメートルである。図２は袋の単位網目の図であり、横幅は約１．０ミリメートル、上下丈は約３．５ミリメートルであり、六角形の左右の縦向きの糸１０の長さは約０．７ミリメートルであり、糸径は約０．１５ミリメートルである。【００４３】  尚、網目形状は縦長の方が望ましい。なぜならば、横に広がる余裕があるからであり、そのことで、装着しやすさや接合部に無理が掛からないことに繋がるからである。尚、菱形に似ているが、菱形は斜めの糸を横に倒しにくく、さらに鍔縁に当接する糸が縦の糸一本でなくて斜め糸２本になるので、より排水栓本体水切り籠鍔部受部位内壁との隙間を塞ぐ要因を増大することになって、好ましくない。【００４４】  図３は図２に示す単位網目複数個分の網目の図であり、網目は袋全体に及ぶものである。尚、糸径や網の寸法、袋の寸法は本実施例のものに限定されるものではなく、装着する相手の水切り籠の寸法に合わせて最良の寸法は設計されるものであるが、本発明の袋特性として、上下に若干、左右に大きく袋寸法を広げられるので、相手の水切り袋との適合性が多少の余裕はあるものである。本実施例の袋寸法は、最も一般的な胴径１１０ミリメートル前後、深さ１３０ミリメートル前後の水切り籠に合わせたものである。尚、浅型タイプの水切り籠に対しては、袋丈を短くしたものが適当であり、使用時の不都合を生じさせないためには、大型籠に対しては合わせて大きく、小型籠には合わせて小さくした方がよい。何故なら、袋が大き過ぎて生じる袋の弛みは水切り籠の内側に迫り出してごみの投入の妨げになったり、水切り籠を排水栓に装着するものの場合には籠が所定位置に納まらなかったりする等の問題が生じうるからである。又、袋が小さ過ぎる場合にも、水切り籠に装着出来なくなったり、袋を破いたり、水切り籠の内側に迫り出してごみの投入を妨げる等の問題が生じる。【００４５】  次に、本発明の水切り袋を装着する対象である水切り籠について説明する。代表的な形状のもの２種類を図４、図５に示す。図５のものは一般的に三角コーナーと呼ばれるもので、シンクの隅に置かれることが多く、隅に納まりやすいように上から見た形が三角に近い形となっているものが多い。又、図４のものは、シンクの排水栓に挿入して使用されるものであるが、シンクの排水栓に装着するものは特殊な仕様の排水栓を除き円筒有底で、鍔がついているものであり、図４に示すものは最も一般的なものである。尚、図４、図５のものとも、胴部に水切れの為の穴が開いており、鍔１４を有するが、図５のもので代表されるシンクに置くタイプは鍔幅が狭く、図４のもので代表される排水栓に挿入するタイプは鍔が所定幅を有している。鍔幅が図４のものと図５のもので異なるのは、鍔の役割が図５のタイプでは籠の変形を防ぐ���のものであるのに対し、図４のタイプは籠の変形を防ぐ為のものである以上に、排水栓の所定の位置に納まって排水栓の壁との間で適切な水切れの空隙を有する為のものであることによる。【００４６】  本発明の水切り袋を水切り籠に装着することについて説明する。説明するまでもないが、水切り袋を水切り籠の内側に挿入して袋の開口端側を水切り籠の鍔１４で折り返すように鍔に引っ掛ける図６のような形が装着の概略の方法である。袋の胴回りを広げない時の胴回り寸法と水切り籠の内周寸法がほぼ同じ場合には、水切り籠の鍔の外周寸法はこれら寸法より大きいので、手で袋周を広げて鍔に掛けようとするが、袋周が広がる時の袋の網目の形は図８に示されるようになる。すなわち横に広がった網目形になる。そして、鍔は処々で網目に食い込む形になるが、その部分の袋の層と水切り籠断面との重なりを示す断面図が図７であり、網糸と水切り籠の鍔との関係を示す断面略図が図９である。図９で判るように鍔１４は網穴に食い込んでいる。食い込むことで、袋は鍔から外れ難いことになる。【００４７】
【００４８】  そして六角形の網目の肉質部の斜めであった網糸１１の袋開口部側は鍔縁１５の鍔下側となる部分で横に向く形になって引っ掛かることで引掛り幅を広げ、ごみを袋に入れる時等に於ける袋が内側に引っ張られる現象に対しての抵抗を増し、又、鍔縁近傍の鍔上側となる部分も装着前に斜めだった網糸１１が横に向く形に広がっているので、同じく袋が内側に引っ張られる現象に対しての抵抗が斜めだった時より大となるので、ごみ入れ時や、ごみで重くなった時等の水切り袋の水切り籠の鍔からの外れ易さが低減される。【００４９】  尚、水切り籠の鍔部とは、籠縁の内側への倒れや、流し排水栓に装着して使用するものの場合の流し排水栓への落ち込みを止めるものであり、図４〜図７、図９に示す１４のように水切り籠の開口部で籠胴部１６より外側に迫り出している部分である。よって、水切り籠の鍔でない胴部１６は外周寸法が鍔外周寸法より鍔分だけ小さくなるので、袋は網目を本発明の形状にしても、図１０に示すような接合のない、袋の胴内寸が均一すなわち寸胴状であるならば、水切り籠に装着した水切り袋の開口先端側は鍔縁に合わせて伸ばされた状態のままになり易く、図１１のごとく水切り籠の鍔下面や胴部外周面から乖離するので、その乖離部分の水切り袋の網目の穴と肉質の両方共に袋が内側に引っ張られる時の抵抗になり得えず、その結果として水切り籠の鍔１４が網目の肉質部の縦向きの糸部分にのみ強く当たることになって網糸が切れ易くなるという問題が生じる。【００５０】  それに対し、図１の如くに袋の開口部近傍で袋の開口径を狭める接合６が為されているならば、水切り袋の網目が水切り籠の鍔下や胴部外周面に密着してごみ入れ時等の袋が内側に引っ張れる時の抵抗になり、ごみ入れ時や、ごみで重くなった時等の水切り袋の水切り籠の鍔からの外れ易さがより低減され、かつ網糸が切れ易いという問題が解消される。尚、袋の開口径を狭める接合は、袋開口部近くの左右の片側だけでも上記作用を為すが、片側だけでは水切り籠に装着し難くなることや、接合が為されない側では外れ易いことから左右両側に接合が為される方が良い。又、左右バランスが偏ると左右の一方から外れ易いという問題が生じ易いので左右対照の接合が為される方が良い。本実施例では、左右に前記接合を為した水切り袋を図５の形態の水切り籠に装着し、生ごみの水切れに用い、使用中にごみを押し入れることなども行ったが、作業が容易かつ問題なく、外れ難く、袋の破れ等もなかった。【００５１】  又、袋を反転することなく水切り籠の鍔部に当たる部分のみ袋胴幅を広げて水切り籠に装着でき、装着作業が単純かつ容易であり、間違えることがなかった。【００５２】さらに、網目が六角形で単位網目を構成する６本の糸の内の互いに隣の隣の隣となる２本の糸同士が互いに平行に向き合い、かつ袋の開口側を上、封止された底側を下にした場合にともに縦方向に配された縦向きの糸とすることで、その２本の糸に繋がる斜めの糸のみが袋幅を広げ、さらに、図２に示すような、網目が六角形で単位網目を構成する６本の糸の内の互いに隣の隣の隣となる２本が平行に向き合い、かつ袋の開口側を上、封止された底側を下にした場合にともに縦方向に配された縦向きの糸１０���士であって、縦向きの糸に繋がる斜めの糸１１のみが袋幅を広げようとするときに図８に示すように横向きに倒れるようになって広げるのに掛ける力が少なくても袋胴幅が広げられ、掛かる力が少なくて済み、網目の糸に無理が掛からなかった。装着した袋を確認したところ破れ等破損は見られなかった。【００５３】  又、ごみの詰まった水切り袋を水切り籠から取り外す時には、袋を反転したり強く引っ張りしたりしなくてよく、かつ前述の通り網目の糸が切れ易いという問題や網目の糸に無理が掛かるという問題から生じる袋の破損はなく、ごみをこぼしたり周囲を汚染させたりすることがなく作業ができ、清潔を保てた。【００５４】  次に、前述例で使用した水切り袋と同じ袋を前述例で使用したものと同じ水切り籠に装着して、それを流し排水栓本体に装着した場合について図１１〜図１５を用いて方法とその結果を述べる。図１２の流し排水栓１７は、図１３の通り、水を排水する為にシンク１８に設けられた穴１９と、それに繋がる排水管２０及び排水管の先から上がってくる臭気を溜め水２１で封止する為の臭気トラップ２２とからなる。トラップ２２の上方には排水管に直接ごみを流し入れない為の図６や図１１のように水切り袋が装着された水切り籠１３が設置されるものである。流し排水栓１７の上部は段差を設けて少しずつ広がっており、その段差は下から順に水切り籠を受ける段２３、蓋を受ける段２４となっている。【００５５】  そもそも流し排水栓本体の水切り籠の鍔を受ける段２３部位の内壁底径は、水切り袋を装着するための設計になっていない為に水切り籠鍔外径より１ミリメートル程度しか大きくなく、装着して問題ない水切り袋は限られる。【００５６】  ところで、流し排水栓本体の水切り籠の鍔を受ける部位の内壁部径と流し排水栓籠鍔縁との隙間２６は前述のとおり１ミリメートル程度と限られることで、限られた隙間に入りうる縦向きの糸１０が占める厚みは限られるとともに、縦向きの糸１０の総本数による壁との抵抗も限られてくるので、縦向きの糸１０の本数と一本当たり糸幅を乗じた値の制限値が決められる。そうであるならば、縦向きの糸一本の鍔縁への当接幅が小さくなり、かつ鍔縁に掛かる縦向きの糸の数が少なくなれば縦向きの糸一本あたりの断面積は大きくすることが可能であると言える。そして、縦向きの糸一本の断面積が大きくできるならば縦向きの糸は丈夫になるので、袋の脱着時等にて力が掛かっても糸切れがなく、袋の破れはなくなる。そうなれば、袋の破れによって周囲にごみを飛散させるという問題は生じないことになる。【００５７】  本発明の水切り袋は、網穴を横に広げて鍔縁に掛ける。そのことで、鍔縁に掛かる網糸数は減ることになる。且つ網糸は縦向きの糸だけが鍔縁に直行して当接することになって、網糸一本の鍔縁に当接する幅は網糸が斜めや横を向いて鍔縁に掛かるよりも小さくなり、最小となる。【００５８】  本発明は、前述の通り鍔縁に当接する糸数が減らせ、且つ網糸一本の鍔縁に当接する幅が最小となる。よって、一本当たり肉質部断面積が大きくなっても、水切り袋を装着した水切り籠を排水栓本体の水切り籠鍔部受部位内壁との隙間に上手く納まらせることになって、菊割蓋等を浮かすことなく鍔部に装着で���る。本実施例のものは図６に示す通り水切り袋が浮かないで装着され、また鍔縁に食い込むことで鍔縁外径よりはみ出る網糸が少なく済むので、図１４の通り蓋を受ける段からはみ出ることなく、かつ浮くことなく水切り籠に装着された水切り袋が納まる。一方、本発明と異なる図１１のような袋だと、図１５に示すように、その部位に納まらなくて、結果として水切り籠が浮き、その上に乗せる菊割蓋等の蓋２５が浮いて、隙間２６も生じ、蓋周囲にごみが引っかかって流れないという問題が生じる。浮かないためには、袋の水切り籠に装着した時の鍔部まわり外径が前記流し排水栓本体の水切り籠の鍔を受ける段２３部位の内壁底径以内に限られるのに、図１１のような本発明を実施しない袋は、それを超えてしまうからである。【００５９】  以上のように、本発明を実施することによって、蓋周囲に段差が生じてのシンクに流れるごみが引っ掛るという問題を無くすという多大な効果を生じる。【００６０】  尚、一本当たり肉質部断面積が大きくなることは、糸の断面形が円形ならば太くなり、排水栓本体水切り籠鍔部受部位内壁との隙間に納まり難くなるという逆効果を生じることを意味するので、その対策は必要であり、網糸は押し潰されて扁平化されるのが望まれる。【００６１】  そこで、本発明では、袋素材をプラスチックにすることで、押し潰され易く、肉質部断面形状を扁平にでき、そのことで肉質部厚みを小さくでき、結果として丈夫な袋を得られた。尚、プラスチックの材質は剛直であっては押し潰され難いだけでなく、水切り籠の鍔の周囲で膨らむことになって排水栓に装着した水切り籠を浮かすことになり、その結果水切り籠の上に載せた蓋を浮かすことになって蓋の縁を周囲より浮かすことになることで、シンクに流れるごみを段差に引っ掛けるということになる。水切り袋はシンク面にごみを溜めずに清潔に保つためのものであるのに対し、不都合な結果になってしまう。よって。柔軟性が求められるが、本発明は袋素材をプラスチックにすることで柔軟性を得た。【００６２】  袋素材のプラスチックの材質は、基本的には柔軟性があればどれでもよく、ポリオレフィン系、ポリアミド系、ポリエステル系等プラスチックが考えられるが、プラスチックが脆弱ならば蓋を載せたとき等にプラスチックである網糸が折れて切れるということがあり、好ましくない。特に、プラスチックは低温脆性が生じるものが多いので冬場での使用を考えた場合はどれでもよいというわけにはいかない。プラスチック素材の中で、特にポリプロピレンのプロピレンの割合が高い、いわゆるホモタイプは寒冷下においては剛直であり、袋を装着した水切り籠を排水栓にセットしようとする時に籠や蓋を浮かせ、浮きを抑えるために無理に曲げようとすると網糸が折れることがあるので適当でない。家庭での冬場の使用も考えると低温下でも固くなり難く、柔軟性を維持し、安価でもあるポリエチレン系のものが最も良く、本実施例ではポリエチレンとした。接合手段は問わないが、耐水性が必要であることから融着が適当であり、超音波融着を含め熱融着が最も適当であり、本例では熱融着にて接合した。【００６３】  以上の結果、本実施例の水切り袋は、排水栓用水切り籠に装着して、その水切り籠を排水栓に装着し、蓋を載せて使用したが、シンク面から浮くことがなく、結果としてシンクで排水栓側に向かって流れるゴミが段差で止められることはなかった。又、水切り袋の水切り籠への装着および水切り籠の排水栓への装着は容易かつ問題なく作業でき、ゴミの投入及び押し込みでも問題なく、ごみが溜まった水切り袋の水切り籠からの取り外しも容易で問題なく作業ができた。又、どの過程においても網糸や袋の切れ、破れはなかった。【００６４】  尚、接合部の形状による接合面剥離や、接合部際の網糸切断等の発生有無を確認してみた。その一例としての弓状の形状のものを図１６に示す。水切り籠に掛けるべく接合部に指を掛けて袋を広げたら、弓の下端に接する部位の網糸が伸びて網穴が少し広がった。他に四角形、三角形、星形、十字形、小円形の接合部形のものも試したが同様であった。円形の大きいものも試したが、接合部位が大面積化したことによって、固定化された面積が大きくなったので、排水栓への装着時に嵌めづらくなった。又、袋上方の折り返し幅を確保しようとした場合には接合部位の位置を必要以上に下げるなどが求められる。本実施例においては、熱融着で横幅約８ｍｍ、縦丈約１８ｍｍの接合部位のものを用いたが、接合部位の剥離、網糸切れや伸びが見られなく、網穴切れや拡大がなくて、水切り袋としての使用に耐えるものであった。その形状は図１に示すものである。
【符号の説明】
【００６５】１    水切り袋
２    開口辺
３    底
４    底シール
５    側辺
６    袋の開口径を狭める接合
７    単位網
８    網穴
９    網
１０  縦向きの糸
１１  斜めの糸
１２  籠内側
１３  水切り籠
１４  鍔
１５  鍔縁
１６  胴部
１７  流し排水栓
１８  シンク
１９  シンク１８に設けられた穴
２０  排水管
２１  溜め水
２２  トラップ
２３  水切り籠の鍔を受ける段
２４  蓋を受ける段
２５  菊割蓋等の蓋
２６  流し排水栓本体の水切り籠の鍔を受ける部位の内壁部径と流し排水栓籠鍔縁との隙      間
２７  弓型の接合部位
【図１】
2016175772.tif 000003
【図２】
2016175772.tif 000004
【図３】
2016175772.tif 000005
【図４】
2016175772.tif 000006
【図５】
2016175772.tif 000007
【図６】
2016175772.tif 000008
【図７】
2016175772.tif 000009
【図８】
2016175772.tif 000010
【図９】
2016175772.tif 000011
【図１０】
2016175772.tif 000012
【図１１】
2016175772.tif 000013
【図１２】
2016175772.tif 000014
【図１３】
2016175772.tif 000015
【図１４】
2016175772.tif 000016
【図１５】
2016175772.tif 000017
【図１６】
2016175772.tif 000018